(57)【要約】【課題】データ検索を行う際のユーザの利便性を高めることのできる情報処理装置および情報処理方法を提供する。【解決手段】コンピュータ１は、カード状記録媒体に記憶されているカードデータを読み取る読取手段と、読取手段が読み取ったカードデータから、検索条件情報を作成する検索条件情報作成手段と、検索条件情報作成手段が作成した検索条件情報をネットワークを介して検索サーバに送信するとともに、検索サーバから検索結果を受信する通信手段と、通信手段が検索サーバから受信した検索結果を表示装置に表示させる表示制御手段とを有している。【選択図】図３
2008310433.tif 000002
【特許請求の範囲】
【請求項１】
カード状記録媒体に記憶されているカードデータを読み取る読取手段と、
前記読取手段が読み取った前記カードデータから、検索条件情報を作成する検索条件情報作成手段と、
前記検索条件情報作成手段が作成した検索条件情報をネットワークを介して検索サーバに送信するとともに、前記検索サーバから検索結果を受信する通信手段と、
前記通信手段が前記検索サーバから受信した前記検索結果を表示装置に表示させる表示制御手段とを有することを特徴とする情報処理装置。
【請求項２】
カード状記録媒体に記憶されているカードデータを読み取る読取手段と、
前記読取手段が読み取った前記カードデータから、検索条件情報を作成する検索条件情報作成手段と、
前記検索条件情報作成手段が作成した検索条件情報を用いて検索を行う検索手段と、
前記検索手段が検索した検索結果を表示装置に表示させる表示制御手段とを有することを特徴とする情報処理装置。
【請求項３】
カードデータを記憶するカードデータ記憶手段と、
前記カードデータ記憶手段が記憶する前記カードデータから、検索条件情報を作成する検索条件情報作成手段と、
前記検索条件情報作成手段が作成した検索条件情報をネットワークを介して検索サーバに送信すると共に、前記検索サーバから検索結果を受信する通信手段と、
前記通信手段が前記検索サーバから受信した前記検索結果を表示装置に表示させる表示制御手段とを有することを特徴とする情報処理装置。
【請求項４】
前記検索条件情報作成手段は、前記カードデータに含まれる乗車駅または下車駅を示す駅名データを用いて前記検索条件情報を作成することを特徴とする請求項１〜３のいずれか一項記載の情報処理装置。
【請求項５】
前記検索条件情報作成手段は、前記カードデータに含まれる乗車または下車した日時を示す日時データを用いて前記検索条件情報を作成することを特徴とする請求項４記載の情報処理装置。
【請求項６】
前記検索条件情報作成手段は、前記カードデータに含まれる前記交通機関の特定区間の特定期間中の乗車に用いられる定期データを用いて前記検索条件情報を作成し、
前記表示制御手段は、前記検索結果に前記特定区間が含まれているときは該特定区間を含む前記検索結果を前記特定区間を含まない前記検索結果よりも先に表示させることを特徴とする請求項１〜５のいずれか一項記載の情報処理装置。
【請求項７】
前記表示制御手段は、前記検索結果に前記特定区間が含まれているときは該特定区間の料金を除いた料金表示を含めて前記検索結果を表示させることを特徴とする請求項６記載の情報処理装置。
【請求項８】
前記通信手段は、商品購入または役務提供の履歴を示す履歴データを前記検索サーバに送信し、かつ前記検索サーバから前記駅名データを受信し、
前記検索条件情報作成手段は、前記通信手段が前記検索サーバから受信した前記駅名データを用いて前記検索条件情報を作成することを特徴とする請求項４〜７のいずれか一項記載の情報処理装置。
【請求項９】
前記カードデータが書き換えられたことを検知する検知手段と、
該検知手段の検知結果に基づいて、前記検索手段を起動または終了させる起動制御手段とを更に有することを特徴とする請求項２記載の情報処理装置。
【請求項１０】
前記検索条件情報作成手段は、前記駅名データのうちの前記下車駅を示す下車駅データが書き換えられたときに前記検索条件情報を作成することを特徴とする請求項４〜９のいずれか一項記載の情報処理装置。
【請求項１１】
カード状記録媒体に記憶されているカードデータを読み取り、
前記読み取った前記カードデータから、検索条件情報を作成し、
前記検索条件情報をネットワークを介して検索サーバに送信するとともに、前記検索サーバから検索結果を受信し、
前記受信した前記検索結果を表示装置に表示させることを特徴とする情報処理方法。
【発明の詳細な説明】
【技術分野】
【０００１】
本発明は、ＩＣカード等のカード状記録媒体に記録されるカードデータを用いる情報処理装置および情報処理方法に関する。
【背景技術】
【０００２】
近年、出発地点から到着地点に至るまでの鉄道やバスといった交通機関の経路を案内するシステムやプログラムが知られている。中には、ＧＰＳ受信機を用いて現在地を特定し、特定した現在地に基づいて経路案内を行うシステムが知られている（例えば特許文献１参照）。
【特許文献１】特開２００５−２４１５７４号公報
【発明の開示】
【発明が解決しようとする課題】
【０００３】
ところで、近年、ＩＣチップを埋め込み、データを記録できるようにしたＩＣカード等のカード状記録媒体が広く普及し、それに伴い、カード状記録媒体のＩＣチップ等記録媒体に記録されるデータ（以下「カードデータ」という）を用いる情報処理装置も、ＰＣ（Personal  Computer）、携帯電話装置、ＰＤＡ（Personal  Digital  Assistants）など種々のタイプが実用化されている。
【０００４】
しかし、カードデータは、入金データや入出金の記録、交通機関の乗車券や定期券といった用途で用いられるものであり、この種の情報処理装置でカードデータを用いる場合も、カードデータ本来の用途でしか用いることができなかった。
【０００５】
そのため、例えば、交通機関の乗車券や定期券として利用できるＩＣカードがあったしても、ユーザが情報処理装置で経路案内、観光案内、店舗案内といった場所のデータを検索キーにしたデータ検索を行う場合、ユーザは場所のデータを入力しなければならなかった。
【０００６】
そこで、本発明は上記課題を解決するためになされたもので、データ検索を行う際のユーザの利便性を高めることのできる情報処理装置および情報処理方法を提供することを目的とする。
【課題を解決するための手段】
【０００７】
上記課題を解決するため、本発明は、カード状記録媒体に記憶されているカードデータを読み取る読取手段と、読取手段が読み取ったカードデータから、検索条件情報を作成する検索条件情報作成手段と、検索条件情報作成手段が作成した検索条件情報をネットワークを介して検索サーバに送信するとともに、検索サーバから検索結果を受信する通信手段と、通信手段が検索サーバから受信した検索結果を表示装置に表示させる表示制御手段とを有する情報処理装置を特徴とする。
【０００８】
また、本発明はカード状記録媒体に記憶されているカードデータを読み取る読取手段と、読取手段が読み取ったカードデータから、検索条件情報を作成する検索条件情報作成手段と、検索条件情報作成手段が作成した検索条件情報を用いて検索を行う検索手段と、検索手段が検索した検索結果を表示装置に表示させる表示制御手段とを有する情報処理装置を提供する。
【０００９】
さらに、本発明は、カードデータを記憶するカードデータ記憶手段と、カードデータ記憶手段が記憶するカードデータから、検索条件情報を作成する検索条件情報作成手段と、検索条件情報作成手段が作成した検索条件情報をネットワークを介して検索サーバに送信すると共に、検索サーバから検索結果を受信する通信手段と、通信手段が検索サーバから受信した検索結果を表示装置に表示させる表示制御手段とを有する情報処理装置を提供する。
【００１０】
そして、本発明は、カード状記録媒体に記憶されているカードデータを読み取り、読み取ったカードデータから、検索条件情報を作成し、検索条件情報をネットワークを介して検索サーバに送信するとともに、検索サーバから検索結果を受信し、受信した検索結果を表示装置に表示させる情報処理方法を提供する。
【発明の効果】
【００１１】
以上詳述したように、本発明によれば、データ検索を行う際のユーザの利便性を高めることのできる情報処理装置および情報処理方法が得られる。
【発明を実施するための最良の形態】
【００１２】
以下、本発明の実施の形態について説明する。なお、同一要素には同一符号を用い、重複する説明は省略する。
【００１３】
（第１の実施形態）
図１に示すノートブック型のパーソナルコンピュータ（以下「コンピュータ」という）１は、コンピュータ本体３と、コンピュータ本体３に対して開閉自在のディスプレイユニット５とを備えている。
【００１４】
ディスプレイユニット５には、ＴＦＴ−ＬＣＤ（Thin Film Transistor Liquid Crystal Display）７が組み込まれており、そのＬＣＤ７の表示画面はディスプレイユニット５のほぼ中央に位置している。
【００１５】
コンピュータ１は後述する経路案内プログラム１３１を用いた経路案内データの検索結果を表示装置としてのＬＣＤ７に表示する情報処理装置としての機能を有している。ディスプレイユニット５は、コンピュータ本体３に対して開放位置と閉塞位置との間を回動自在に取り付けられている。コンピュータ本体３は、薄い箱形の筐体を有しており、その上面にはキーボード９、コンピュータ１をパワーオン／パワーオフするためのパワーボタン１１、タッチパッド１５、及びクリックボタン１７が配置されている。
【００１６】
また、コンピュータ１は、ＨＤ  ＤＶＤ規格のＤＶＤメディアに格納された（ＨＤ  ＤＶＤ  Ｖｉｄｅｏ規格の）オーディオ・ビデオ（ＡＶ）コンテンツを再生することができる。コンピュータ本体３の正面には、ＤＶＤメディアを出し入れするためのスロット１９が設けられている。
【００１７】
図２に示すように、コンピュータ１は、ＣＰＵ１０１、ノースブリッジ１０３、メインメモリ１０５、グラフィックスコントローラ１０７、ビデオメモリ（ＶＲＡＭ）１０７ａ、サウスブリッジ１０９、ＢＩＯＳ−ＲＯＭ１１１、サウンドコントローラ１１３、ハードディスクドライブ（ＨＤＤ）１１７、ＨＤ  ＤＶＤドライブ１１９、エンベデッドコントローラ／キーボードコントローラＩＣ（ＥＣ／ＫＢＣ）１２１、ネットワークコントローラ１２３、デジタルＴＶチューナ１２５、カードリーダ１２６を備えている。
【００１８】
ＣＰＵ１０１は、コンピュータ１の動作を制御するプロセッサであり、ＨＤＤ１１７からメインメモリ１０５にロードされる各種プログラムを実行する。このＣＰＵ１０１によって実行される各種プログラムとしては、オペレーティングシステム、ＨＤ  ＤＶＤ  Ｖｉｄｅｏ規格のＡＶコンテンツを再生するＨＤ  ＤＶＤプレーヤアプリケーションプログラム、デジタルＴＶ放送を視聴可能とするためのＴＶアプリケーション、経路案内プログラム１３１、後述するカードデータ受渡プログラム１３２等が存在する。また、ＣＰＵ１０１は、ＢＩＯＳ−ＲＯＭ１１１に格納されたＢＩＯＳ（Basic Input Output System；ハードウエア制御のためのプログラム）も実行する。
【００１９】
ノースブリッジ１０３は、ＣＰＵ１０１のローカルバスとサウスブリッジ１０９との間を接続するブリッジデバイスである。ノースブリッジ１０３には、メインメモリ１０５をアクセス制御するメモリコントローラも内蔵されている。また、ノースブリッジ１０３はＰＣＩ  ＥＸＰＲＥＳＳ規格のシリアルバスなどを介してグラフィックスコントローラ１０７との通信を実行する機能も有している。
【００２０】
グラフィックスコントローラ１０７は、コンピュータ１のディスプレイモニタとして使用されるＬＣＤ７を制御する表示コントローラである。グラフィックスコントローラ１０７は、ブレンド処理、スケーリング処理、ルーマキー処理等の画像処理機能を有している。このグラフィックスコントローラ１０７によって生成される表示信号は、ＬＣＤ７に送られる。また、表示信号は、コンピュータ本体３に設けられたインターフェースを介して外部のＴＶやＨＤＭＩモニタに送出することもできる。
【００２１】
サウスブリッジ１０９は、ＰＣＩ（Peripheral Component Interconnect）バス上の各デバイス及びＬＰＣ（Low Pin Count）バス上の各デバイスを制御する。また、サウスブリッジ１０９は、ＨＤＤ１１７、ＨＤ  ＤＶＤドライブ１１９を制御するためのＩＤＥ（IntegratedDrive Electronics）コントローラを内蔵している。更に、サウスブリッジ１０９は、サウンドコントローラ１１３との通信を実行する機能も有している。サウンドコントローラ１１３は音源デバイスであり、再生対象のオーディオデータをスピーカ１１３ａに出力する。
【００２２】
エンベデッドコントローラ／キーボードコントローラＩＣ（ＥＣ／ＫＢＣ）１２１は、電力管理のためのエンベデッドコントローラと、キーボード９、タッチパッド１５、及びクリックボタン１７を制御するためのキーボードコントローラと、が集積された１チップマイクロコンピュータである。タッチパッド１５が操作されると操作信号が生成され、この操作信号に基づいてＬＤＣ７の表示画面上に表示されたカーソルが移動する。また、このＥＣ／ＫＢＣ１２１は、ユーザによるパワーボタン１１の操作に応じてコンピュータ１をパワーオン／パワーオフする機能を有している。
【００２３】
コンピュータ１はデジタルＴＶ放送の視聴を可能にするため、デジタルＴＶチューナ１２５を備えており、ＣＰＵ１０１に前述のＴＶアプリケーションを実行させることにより、チューナ１２５で受信されるデジタル放送波に基づくＴＶ映像をＬＣＤ７に表示する。
【００２４】
また、コンピュータ１はカードリーダ１２６を有している。カードリーダ１２６はカード状記録媒体としてのＩＣカード５０から記録されているカードデータを読み取りＣＰＵ１０１に入力する読取手段としての機能を有している。
【００２５】
そして、コンピュータ１は後述する経路案内プログラム１３１と、カードデータ受渡プログラム１３２とにしたがいＣＰＵ１０１が作動して、出発駅から到着駅までの経路案内（路線名、乗り換え駅、所要時間、料金等）を示す経路案内データを検索し、その検索結果をＬＣＤ７に表示することができる。この経路案内データの検索を実行するため、ＨＤＤ１１７に図示しない経路案内ＤＢが記憶されている。
【００２６】
次に、図３（ａ）はコンピュータ１の経路案内データの検索にかかる部分の構成を示すブロック図である。経路案内プログラム１３１は、経路案内データを検索するためプログラムで、乗車駅入力部１３１ａ、下車駅入力部１３１ｂ、経路案内検索部１３１ｃ、検索結果表示制御部１３１ｄ、検索指示入力部１３１ｅを有していて、ＣＰＵ１０１を検索手段として作動させる機能を有している。
【００２７】
乗車駅入力部１３１ａ、下車駅入力部１３１ｂは、それぞれ経路案内データの検索に用いられ、後述する入力エリア１５１，１５２に表示される乗車駅、下車駅を経路案内検索部１３１ｃに引き渡す。経路案内検索部１３１ｃは入力される乗車駅、下車駅および条件入力エリア１５３に表示される検索条件を用いて検索条件情報を生成し、その生成した検索条件情報を用いて経路案内ＤＢを検索する。検索結果表示制御部１３１ｄは経路案内検索部１３１ｃが検索した経路案内データの検索結果をＬＣＤ７に表示させる。検索指示入力部１３１ｅは経路案内検索部１３１ｃに検索指示を入力する。
【００２８】
カードデータ受渡プログラム１３２はカードリーダ１２６がＩＣカード５０から読み取ったカードデータに含まれる後述する乗下車データ５１を取得し、その取得した乗下車データ５１に含まれる駅名データ５１ａを経路案内プログラム１３１の乗車駅入力部１３１ａに出力するカードデータ受渡機能を有している。
【００２９】
そして、ＩＣカード５０には、図３（ｂ）に示すように乗下車データ５１が記録されている。この乗下車データ５１は、乗車または下車した駅名を示す駅名データ５１ａと、乗車または下車した日時を示す日時データ５１ｂおよび乗車または下車のいずれであるかを示す乗下車フラグ５１ｃとを有していて、いつ、どの駅で乗車または下車したのかが把握できるようになっている。図３（ｂ）では、乗下車データ５１が３件だけ表示されている。
【００３０】
次に、コンピュータ１により行われる経路案内データの検索処理の動作内容について、図４〜図８を参照して説明する。ここで、図４はコンピュータ１により行われる経路案内データの検索処理の動作手順を示すフローチャート、図５は経路案内プログラム１３１を起動したときにＬＣＤ７に表示される経路案内画面１５０の一例を示す図、図６はユーザが交通機関を利用するなどして移動する経路を模式的に示した図である。
【００３１】
なお、以下の説明では、図６に示すようにしてユーザが交通機関を利用した場合の経路案内データの検索を想定している。このユーザはＡ駅から乗車してＢ駅で下車したあと、徒歩Ｐａにてａ地点に向かっている。その後、ユーザはａ地点から徒歩ＰｂにてＢ駅に向かいそこから鉄道を利用してｃ地点に向かおうとしていて、その場合におけるｃ地点の最寄り駅Ｃ駅までの経路検索を行おうとしている。
【００３２】
コンピュータ１が経路案内データの検索処理を開始するには、まず、図４に示すように、ユーザによる所定の操作を受けてＣＰＵ１０１が経路案内プログラム１３１を起動する（Ｓ１）。すると、ＬＣＤ７に経路案内画面１５０が表示される。
【００３３】
経路案内画面１５０は図５に示すように乗車駅の入力エリア１５１と下車駅の入力エリア１５２を有するほか、乗車日時などの乗車駅および下車駅以外の検索条件を入力する条件入力エリア１５３および検索指示ボタン１５４を有している。
【００３４】
Ｓ１に続いてＳ２に動作が進むと、ＣＰＵ１０１の指示にしたがってカードリーダ１２６によるＩＣカード５０の読み取りが行われる。この場合、カードリーダ１２６がＩＣカード５０からカードデータを読み取る。続いてカードデータ受渡プログラム１３２がカードリーダ１２６の読み取ったカードデータから乗下車データ５１を取得し、その取得した乗下車データ５１のうち、乗車日時の最も新しいデータの駅名データ（最終乗車駅データまたは最終下車駅データ）５１ａを乗車駅入力部１３１ａに出力する。
【００３５】
次に、続いてＳ３に動作が進み、乗車駅入力部１３１ａが受け取った駅名データ５１ａを経路案内画面１５０の入力エリア１５１に入力する（Ｓ３）。ここでは、乗下車データ５１のうちの乗車日時の最も新しいデータが図３（ｂ）に示したように、“Ｂ駅”での“下車”であったため、図５に示すように、入力エリア１５１に“Ｂ駅”と入力、表示される。
【００３６】
次に、Ｓ４に動作が進み、ユーザに下車駅の入力を要求し、ユーザの入力した下車駅を入力エリア１５２に表示させる。
【００３７】
続いてユーザが検索指示ボタン１５４をクリックしたときに検索指示入力部１３１ｅが経路案内検索部１３１ｃに検索指示を入力するとともに、乗車駅入力部１３１ａおよび下車駅入力部１３１ｂがそれぞれ表示されている乗車駅、下車駅を経路案内検索部１３１ｃに入力する。すると、経路案内検索部１３１ｃが表示されている乗車駅、下車駅などを用いて検索条件情報を生成する。
【００３８】
そして、経路案内検索部１３１ｃが作動して経路案内ＤＢにアクセスし、生成した検索条件情報にしたがい経路案内データを検索する。ＣＰＵ１０１が続くＳ５に動作を進めると、検索結果表示制御部１３１ｄが作動して、経路案内検索部１３１ｃの検索結果をＬＣＤ７に表示させ、その後、経路案内データの検索処理を終了する。
【００３９】
ここで、ＬＣＤ７には例えば図７，８に示すようにして検索結果を表示することができる。図７，８は、経路案内データの検索結果を編集して表示したもので、いずれもＢ駅からＣ駅までの経路を表示している。
【００４０】
図７では、Ｂ駅からＢ１駅までＸＸ線を利用し、Ｂ１駅からＢ２駅までＹＹ線を利用した上で、Ｂ２駅からＺＺ線を利用してＣ駅に至る経路、乗り換え回数、所要時間、料金等の情報を表示している。図８では、Ｂ駅からＣ１駅までＸＸＸ線を利用し、Ｃ１駅からＢ２駅までＹＹ線を利用した上で、Ｂ２駅からＺＺ線を利用してＣ駅に至るまでの経路、乗り換え回数、所要時間、料金等の情報を表示している。
【００４１】
ところで、ユーザは図６に示すようにして交通機関を利用し、その場合において、Ｃ駅までの経路検索を行っている。カードデータによれば、このユーザは図３（ｂ）に示したように、１月１１日にＡ駅から乗車してＢ駅で下車した後、鉄道は利用しておらず、その場合においてＣ駅までの経路検索を行っている。
【００４２】
すると、このユーザは、Ｂ駅が最後の下車駅になっているため、再び鉄道を利用するときはＢ駅から乗車する（Ｂ駅が乗車駅になる）可能性が高いと考えられる。
【００４３】
そこで、コンピュータ１は、前述のようにして乗車日時の最も新しい駅名データ５１ａを取得し、それを乗車駅入力部１３１ａに出力している。
【００４４】
すると、乗車日時の最も新しい乗下車データ５１は、図３（ｂ）に示したとおり、“Ｂ駅”が最終の“下車駅”となっているので、前述のとおり、入力エリア１５１には“Ｂ駅”が表示されることとなる。
【００４５】
また、乗車日時の最も新しい乗下車データ５１において、乗下車フラグ５１ｃが“乗車”になっている場合、ユーザはその乗下車データ５１の駅名データ５１ａが示す駅で乗車しているので、この場合も、その駅名データ５１ａを乗車駅入力部１３１ａに出力すればよい。
【００４６】
従来のコンピュータでは、経路案内ＤＢを用いて経路案内データを検索する場合、乗車駅や下車駅などの検索条件を手作業で入力しなければならず、その入力作業に煩わしさがあり、不便であった。
【００４７】
しかしながら、コンピュータ１では、ＩＣカード５０からカードデータを読み取り、そこから駅名データ５１ａを乗車駅入力部１３１ａに出力しているので、乗車駅の入力操作を省略することができ、利便性を高めることができる。こうすることで、カードデータを経路案内のような場所のデータを検索キーにしたデータ検索に活用できるようになり、ユーザの利便性を高めることができる。
【００４８】
特に、コンピュータ１では、従来技術のようにＧＰＳ受信手段により受信したデータから現在位置を求める場合と違い、ＧＰＳ受信手段により電波を受信することを必要としない。そのため、ユーザが地下にいる場合など、電波を受信できない環境下にあっても、前述のようにして経路案内データを検索でき、しかも電波の受信に要する時間がかからないから短時間で検索することができる。
【００４９】
（第２の実施形態）
本実施の形態にかかるコンピュータ１は、図９に示すように、経路案内プログラム１３１が第１の実施の形態にかかる経路案内プログラム１３１と比較して、日時入力部１３１ｆを有する点で相違する。日時入力部１３１ｆは条件入力エリア１５３の日時指定の欄に表示される日時を経路案内検索部１３１ｃに入力する。
【００５０】
本実施の形態にかかるコンピュータ１では、図１０に示すフローチャートにしたがって経路案内データの検索処理が行われる。
【００５１】
コンピュータ１が経路案内データの検索を開始するには、まず、第１の実施の形態と同様にしてＣＰＵ１０１が経路案内プログラム１３１を起動する（Ｓ１）。続いてＳ１０に動作が進み、ＣＰＵ１０１の指示にしたがってカードリーダ１２６によるＩＣカード５０の読み取りが行われる。
【００５２】
この場合、カードリーダ１２６がＩＣカード５０からカードデータを読み取り、カードデータ受渡プログラム１３２がカードリーダ１２６の読み取ったカードデータから乗下車データ５１を取得し、その取得した乗下車データ５１のうち、最終の改札通過における日時データ５１ｂ（最終改札通過データ）、すなわち、乗車日時の最も新しい乗下車データ５１の日時データ５１ｂを日時入力部１３１ｆに出力する（Ｓ１０）。
【００５３】
次に、ＣＰＵ１０１はＳ１１に動作を進め、最終の改札通過が乗車によるものかどうかを判定し（Ｓ１１）、乗車によるものと判定したときはＳ１２に動作を進め、そうでなければＳ１３に動作を進める。
【００５４】
ＣＰＵ１０１はＳ１２に動作を進めると、日時入力部１３１ｆが受け取った日時データ５１ｂを用い、対応する日時を経路案内画面１５０の条件入力エリア１５３の日付指定および時間指定の欄に表示させてからＳ４に動作を進める。
【００５５】
また、ＣＰＵ１０１はＳ１３に動作を進めると、条件入力エリア１５３の日付および時刻に現在の日時を表示させてからＳ４に動作を進める。続いて、Ｓ４、Ｓ５が第１の実施の形態と同様にして実行され、経路案内検索部１３１ｃの検索結果がＬＣＤ７に表示される。
【００５６】
以上のように、本実施の形態にかかるコンピュータ１では、第１の実施の形態にかかるコンピュータ１と同様にユーザが手作業で入力しなくても乗車駅を入力できるので、ユーザの利便性が高くなっている。
【００５７】
しかも、最終の改札通過が乗車の場合（ユーザが乗車しようとして改札を通過している場合）はカードデータ受渡プログラム１３２がその最終の改札通過日時を乗車駅入力部１３１ａに出力しているので、手作業の入力をさらに簡略化でき、利便性がより高くなっている。
【００５８】
（第３の実施形態）
本実施の形態にかかるコンピュータ１は図１１（ａ）に示すように、経路案内プログラム１３１が第２の実施の形態にかかる経路案内プログラム１３１と比較して、表示条件入力部１３１ｇを有する点で相違する。
【００５９】
表示条件入力部１３１ｇは検索結果を構成する経路案内データが複数ある場合にそれらを表示するときの順序（表示順序）を決める表示条件を検索結果表示制御部１３１ｄに入力する。
【００６０】
また、図１１（ｂ）に示すように、本実施の形態において、ＩＣカード５０には乗下車データ５１に加えて定期データ５２が記憶されている。定期データ５２は、ＩＣカード５０が交通機関の特定区間の特定期間中の乗車に用いられる通勤または通学の定期券として利用されていることを示すデータで区間データ５２ａと期間データ５２ｂを有している。区間データ５２ａは定期券の区間（定期区間）を示し、期間データ５２ｂは定期券の期間（定期期間）を示している。
【００６１】
本実施の形態にかかるコンピュータ１では、図１２に示すフローチャートにしたがって経路案内データの検索処理が行われる。
【００６２】
コンピュータ１が経路案内データの検索を開始するには、まず、第１の実施の形態と同様にしてＣＰＵ１０１が経路案内プログラム１３１を起動する（Ｓ１）。続いてＳ２に動作が進み、ＣＰＵ１０１の指示にしたがってカードリーダ１２６によるＩＣカード５０の読み取りが行われる。
【００６３】
この場合、第１の実施形態の場合と同様にカードデータ受渡プログラム１３２がカードリーダ１２６の読み取ったカードデータから乗下車データ５１を取得し、その取得した乗下車データ５１のうち、乗車日時の最も新しいデータの駅名データ５１ａを乗車駅入力部１３１ａに出力する。
【００６４】
また、続くＳ２１では、カードデータ受渡プログラム１３２がカードリーダ１２６の読み取ったカードデータから定期データ５２を取得し、その取得した定期データ５２を検索結果表示制御部１３１ｄに出力する。
【００６５】
続いてＣＰＵ１０１は第１の実施の形態の場合と同様にしてＳ３，Ｓ４を実行した後、Ｓ２２に動作を進める。Ｓ２２では、検索結果表示制御部１３１ｄが定期データ５２に基づき、Ｓ４で得られる検索結果に定期区間が含まれ、かつ定期期間内であるかどうかを判定する。
【００６６】
ここで、ＣＰＵ１０１は定期区間が含まれ、かつ定期期間内であると判定したときはＳ２３に動作を進めてからＳ５に動作を進めるが、そうでなければＳ２３を実行せずにＳ５に動作を進める。そして、ＣＰＵ１０１は第１の実施の形態と同様にしてＳ５を実行すると、経路案内データの検索処理を終了する。
【００６７】
Ｓ２３では、検索結果表示制御部１３１ｄが表示条件入力部１３ｇから入力される表示条件にしたがい定期区間を含む検索結果を定期区間を含まない検索結果よりも先に表示させる表示順序の変更を行う。なお、表示条件としては料金順、時間順の２通りが考えられる。表示条件が料金順の場合、図８、図７の順に表示され、時間順の場合は図７、図８の順に表示される。
【００６８】
本実施の形態にかかるコンピュータ１では、ＩＣカード５０に定期データ５２が記憶されている場合において検索結果に定期区間が含まれているときは、定期区間を含む検索結果を定期区間を含まない検索結果よりも優先して表示している。
【００６９】
例えば、第１の実施形態では、図７，８のようにして検索結果が表示されたところ、Ｂ駅からＣ駅までの経路上にＢ１駅からＢ３駅までの定期券があったため、図１３に示す検索結果が図７，８に優先して表示されるようになる。図１３に示す検索結果では、Ｂ１駅からＢ３駅までの定期区間が含まれている。
【００７０】
また、図１３に示す検索結果を表示する場合、検索結果表示制御部１３１ｄが定期データ５２を用いて定期区間分の料金を除いた料金表示を含めて検索結果を表示してもよい。そうすると、例えば、図１３に示すように、“料金  ６８０円”と、図７，８に表示される料金よりも安い金額の料金表示を行える。
【００７１】
（第４の実施形態）
本実施の形態にかかるコンピュータ１は図１４に示すように、経路案内プログラム１３１が第３の実施の形態にかかる経路案内プログラム１３１と比較して、アクセス処理部１３１ｈを有する点で相違する。
【００７２】
アクセス処理部１３１ｈはネットワークコントローラ１２３がインターネット２０５を介して検索サーバとしてのサーバ装置２００との通信を行い、サーバ装置２００から乗下車データ５１を受信するように制御し、ＣＰＵ１０１を通信制御手段として作動させる機能を有している。
【００７３】
そして、サーバ装置２００は、図１５に示すように、ＣＰＵ（Central Processing Unit）２０１、ＲＯＭ(Read Only Memory)２０２、ＲＡＭ（Random  Access  Memory）２０３、通信処理部２０４、通信制御部２０５およびデータ記憶部２０６を有している。
【００７４】
そして、サーバ装置２００は、ＣＰＵ２０１がＲＯＭ２０２に記憶されているプログラムにしたがいＲＡＭ２０３にデータを読み書きしながら作動し、一方、通信制御部２０５がＣＰＵ２０１の指示にしたがい通信処理部２０４を作動させ、これにより、コンピュータ１との間でのデータ通信が行われる。
【００７５】
また、サーバ装置２００はデータ記憶部２０６に図１６（ｂ）に示す店舗ＤＢ２０７が記憶されている。この店舗ＤＢ２０７は店舗とその最寄り駅とを対応付けて記憶している。サーバ装置２００はコンピュータ１から履歴データ５３を受信したときに履歴データ５３の示す店舗を検索キーにして店舗ＤＢ２０７を検索し、その検索で得られる最寄り駅を駅名データとしてコンピュータ１に送信する。
【００７６】
本実施の形態において、ＩＣカード５０には、図１６（ａ）に示すように、店舗での商品の購入やサービス（役務）の提供履歴を示す履歴データ５３が記憶されている。
【００７７】
そして、本実施の形態にかかるコンピュータ１では、図１７に示すフローチャートにしたがって経路案内データの検索処理が行われる。
【００７８】
コンピュータ１が経路案内データの検索を開始するには、まず、第１の実施の形態と同様にしてＣＰＵ１０１が経路案内プログラム１３１を起動する（Ｓ１）。続いてＳ３１に動作が進み、ＣＰＵ１０１の指示にしたがってカードリーダ１２６によるＩＣカード５０の読み取りが行われる。この場合、カードデータ受渡プログラム１３２がカードリーダ１２６の読み取ったカードデータから履歴データ５３を取得する。
【００７９】
続いてＳ３２に動作が進み、アクセス処理部１３１ｈの指示により、ネットワークコントローラ１２３が作動して通信手段としての動作を行い、サーバ装置２００に履歴データ５３を送信する一方、サーバ装置２００から駅名データを受信する。
【００８０】
ネットワークコントローラ１２３は受信した駅名データをカードデータ受渡プログラム１３２に入力し、カードデータ受渡プログラム１３２はその駅名データを乗車駅入力部１３１ａに出力する。すると、入力エリア１５１に駅名が表示される。
【００８１】
ＣＰＵ１０１はＳ４、Ｓ５を第１の実施の形態と同様に実行して経路案内検索部１３１ｃの検索結果をＬＣＤ７に表示させ、その後、経路案内データの検索処理を終了する。
【００８２】
以上のように、本実施の形態にかかるコンピュータ１は第１の実施の形態にかかるコンピュータ１と同様にユーザが手作業で入力しなくても乗車駅を入力できるので、利便性が高くなっている。
【００８３】
しかも、乗車や下車といった交通機関の利用実績がなくても、店舗での商品やサービスの購入実績があれば、その店舗の最寄り駅を入力して検索結果を行うことができる。そのため、交通機関の利用頻度が少ない場合でも、駅名の手作業入力なしに経路案内を検索できるという利便性を備えている。
【００８４】
近年のＩＣカードは、交通機関の利用だけでなく、入出金データを記憶した電子マネーとして利用できるものもあり、このようなＩＣカードでの買い物の実績を活用した検索を行えるという利便性を備えている。
【００８５】
（第５の実施形態）
本実施の形態にかかるコンピュータ１は図１８に示すように、第１の実施の形態にかかるコンピュータ１と比較して、書き換え検知プログラム１３３を有する点で相違する。
【００８６】
書き換え検知プログラム１３３はＩＣカード５０について、カードデータが書き換えられたことを検知し、ＣＰＵ１０１を検知手段として作動させる機能を有している。
【００８７】
そして、本実施の形態にかかるコンピュータ１では、図１９に示すフローチャートにしたがって経路案内データの検索処理が行われる。
【００８８】
まず、本実施の形態にかかるコンピュータ１では、ユーザの操作にしたがってＣＰＵ１０１が予め書き換え検知プログラム１３３を起動している（Ｓ４１）。
【００８９】
そして、ＣＰＵ１０１はＳ４１に続いてＳ４２に動作を進め、書き換え検知プログラム１３３によってカードデータの書き換えがあったことを検知したときにＳ４３に動作を進め、書き換えられたカードデータに基づいて、ユーザが乗車したのかどうかを判定する。
【００９０】
ここで、ＣＰＵ１０１はユーザが乗車したと判定したときはＳ１、Ｓ２、Ｓ３、Ｓ４、Ｓ５を第１実施の形態と同様にして実行するが、そうでなければＳ４４に動作を進める。
【００９１】
ＣＰＵ１０１はＳ４４に動作を進めると、ユーザが下車した場合であって、かつその下車駅が経路案内データの検索条件に設定された下車駅と一致するか否かの下車条件の成否を判定する。ＣＰＵ１０１は下車条件が成立したと判定したときはユーザが最終到着駅について下車した場合なので、Ｓ４５に動作を進めて経路案内プログラム１３１を終了する。下車条件が成立しないときはユーザが途中下車した場合に相当するので、Ｓ４２に戻って上記動作を繰り返す。
【００９２】
このように、本実施の形態にかかるコンピュータ１では、書き換え検知プログラム１３３を起動しておき、それによりカードデータの書き換えがユーザの乗車によって検知されたときは経路案内プログラム１３１を起動し、目的とする最終到着駅について下車した場合は経路案内プログラム１３１を終了するようにしている。
【００９３】
こうして、本実施の形態にかかるコンピュータ１では、乗車した場合または目的とする最終到着駅で下車した場合にそれらに合わせてユーザが自ら操作することなく経路案内プログラム１３１が作動を開始し、また作動を終了するようになっている。そのため、経路案内プログラム１３１を起動したり終了させたりする操作が不要となるから、ユーザの利便性が高められている。
【００９４】
そして、以上の各実施の形態では、ＣＰＵ１０１が経路案内プログラム１３１にしたがい作動して経路案内検索手段としての動作を実行していたが、経路案内検索プログラム１３１をサーバ装置２００が記憶してサーバ装置２００が経路案内検索手段を有していてもよい。この場合、コンピュータ１はＣＰＵ１０１がカードデータから取得した駅名データを用いて検索条件情報を生成して、その検索条件情報をネットワークコントローラ１２３によってサーバ装置２００に送信するとともに、サーバ装置２００から検索結果を受信し、受信した検索結果を表示させることになる。
【００９５】
（第６の実施形態）
図２０は、情報処理装置としての携帯電話装置３００の構成を示す正面図である。携帯電話装置３００はテンキーや各種の操作キーを備えた操作部３０１と、表示部３０２ｂ、３０２c、３０２d、３０２ｅ、３０２ｆ、３０２ｇを備えたＬＣＤ表示部３０２を有し、そのいずれもが装置本体の正面側に設けられている。
【００９６】
この携帯電話装置３００は、経路案内プログラム１３１を用いた経路案内データの検索結果を表示する情報処理装置としての機能とともに、後述する情報案内プログラム３２１を用いた情報案内データの検索結果を表示する情報処理装置としての機能を有している。
【００９７】
携帯電話装置３００は図２１に示すように、ＣＰＵ３０３，ＲＯＭ３０４，ＲＡＭ３０５，電波送受信部３０６、マイク３０７、スピーカ３０８およびカードリーダ３０９およびアンテナ３１０を有している。
【００９８】
ＣＰＵ３０３は、携帯電話装置３００の動作を制御するプロセッサであり、ＲＯＭ３０４に記憶されている各種プログラムにしたがいＲＡＭ３０５にデータを読み書きしながら作動する。
【００９９】
各種プログラムとしては、オペレーティングシステムのほか、通信制御プログラム、経路案内プログラム１３１、情報案内プログラム３２１等が存在する。ＲＡＭ３０５には後述する乗車駅記憶部３３０、下車駅記憶部３３１および場所データ記憶部３３２が設けられている。乗車駅記憶部３３０は経路案内プログラム１３１に出力した乗車駅が記憶され、下車駅記憶部３３１は経路案内プログラム１３１に出力した下車駅が記憶されている。場所データ記憶部３３２は情報案内データの検索に用いられる場所データを記憶する。
【０１００】
電波送受信部３０６は各種データを変調して電波に重畳し、その電波をアンテナ３１０から放射して図示しない基地局に送信する一方、基地局から送信されアンテナ３１０が捉えた電波を受信し、そこに重畳されている各種データを取り出してＣＰＵ３０３に入力する。マイク３０７は通話用の音声を入力してデータに変換し、スピーカ３０８は通話用の音声を出力する。カードリーダ３０９はＩＣカード５０から、記録されているカードデータ４９を読み取りＣＰＵ３０３に入力する。
【０１０１】
次に、図２２は携帯電話装置３００の経路案内データおよび後述する情報案内データの検索にかかる部分の構成を示すブロック図である。
【０１０２】
図示のとおり、携帯電話装置３００はコンピュータ１と同様の経路案内プログラム１３１、カードデータ受渡プログラム１３２のほか、情報案内プログラム３２１を有している。情報案内プログラム３２１は情報案内データを検索するためのプログラムで、ＣＰＵ３０３を情報案内検索手段として作動させる機能を有している。
【０１０３】
本実施の形態において、情報案内データとは経路案内データのように駅を検索キーにしたり、場所を検索キーにして検索される各種の情報案内に用いられるデータであって、例えば次のようなものがある。駅周辺のチケットの情報、駅の鉄道とバスの時刻表、駅で販売される新聞の記事やニュース、駅周辺の天気の情報、駅構内のタクシー乗り場とタクシー会社の情報、駅周辺の観光地情報、駅周辺の店舗の情報（商品、価格など）である。
【０１０４】
携帯電話装置３００ではこれらの情報を検索できるが、これら以外の情報を検索できるようにしてもよい。携帯電話装置３００は情報案内データの検索用の情報案内ＤＢをＲＯＭ３０４に記憶しておいてもよい。ただし、携帯電話装置３００は、情報案内ＤＢを装置内に記憶せず、その検索に必要な乗車駅、下車駅などの検索条件をサーバ装置２００など外部装置に送信してその外部装置が検索を行い、携帯電話装置３００は外部装置から検索結果を受信してもよい。
【０１０５】
次に、携帯電話装置３００により行われる情報案内データの検索処理の動作内容について、図２３〜図２８を参照して説明する。ここで、図２３は携帯電話装置３００により行われる情報案内データの検索処理の動作手順を示すフローチャート、図２４〜図２８は情報案内データの検索結果を表示した携帯電話装置３００を示す正面図である。
【０１０６】
携帯電話装置３００が情報案内データの検索を開始するには、まず、図２３に示すように、ユーザの操作にしたがいＣＰＵ３０３が情報案内プログラム３２１を起動する（Ｓ５１）。すると、Ｓ５２に動作が進み、ＣＰＵ３０３が、カードデータが下車駅で書き換えられたか否かを判定する。すなわち、ＣＰＵ３０３は乗下車フラグ５１ｃを“下車”とする乗下車データ５１が乗車日時の最も新しい乗下車データ５１として書き加えられたか否かを判定する。
【０１０７】
ＣＰＵ３０３はカードデータが下車駅で書き換えられたと判定したときはＳ５３に動作を進め、そうでなければＳ５４に動作を進める。Ｓ５３に動作が進む場合はユーザが目的としている到着駅に到着して改札を出た場合であり、この場合はカードデータ受渡プログラム１３２が乗下車データ５１の駅名データ５１ａを情報案内プログラム３２１に出力し、その駅名データ５１ａにしたがい情報案内プログラム３２１による情報案内データの検索に用いられる場所データを書き換えて場所データ記憶部３３２に記憶させ、ＬＣＤ表示部３０２に表示する。すると、例えば、表示部３０２ｂが下車駅周辺の情報のように表示が切り換わる。
【０１０８】
また、Ｓ５４では、経路案内プログラム１３１が起動されたか否かが判定され、経路案内プログラム１３１が起動されていればＳ５３に動作が進む、そうでなければＳ５２に戻る。
【０１０９】
Ｓ５５では、情報案内プログラム３２１の機能選択が行われたか否かが判定され、機能選択が行われているときはＳ５６に動作が進み、そうでなければＳ５２に戻る。Ｓ５６に進むと、ＣＰＵ３０３が情報案内プログラム３２１を起動して、Ｓ５５における機能選択に対応した情報案内データの検索を行い、その検索結果をＬＣＤ３０２に表示してＳ５２に戻る。
【０１１０】
そして、Ｓ５６を実行して表示される情報案内データは、例えば、図２４から図２８に示すようになっている。ここで、図２４では、駅周辺のチケットの情報を表示した場合を示しており、情報案内データ３０２ａ１，３０２ａ２，３０２ａ３の３つが表示されている。また、図２５では、駅の鉄道とバスの時刻表を表示した場合を示しており、情報案内データ３０２ｂ１，３０２ｂ２，３０２ｂ３の３つが表示されている。
【０１１１】
さらに、図２６では、駅周辺の天気の情報を表示した場合を示しており、情報案内データ３０２ｄ１，３０２ｄ２の２つが表示されている。また、図２７では、駅構内のタクシー乗り場とタクシー会社の情報を示しており、情報案内データ３０２ｅ１，３０２ｅ２の２つが表示されている。図２８では、駅周辺の店舗の情報を表示した場合を示しており、情報案内データ３０２ｇ１，３０２ｇ２，３０２ｇ３の３つが表示されている。
【０１１２】
交通機関を利用して目的とする到着駅に到達した場合、ユーザはその到着駅で下車することになるが、例えば、その下車駅が出張先の駅であった場合など、下車駅周辺の情報に不案内な場合がある。
【０１１３】
従来の情報処理装置はそのような場合において情報案内データの検索手段または検索結果の表示手段を有していたとしても、検索のための場所や駅名といった検索条件を手作業で入力しなければならず、その入力作業に煩わしさがあり、不便であった。
【０１１４】
そこで、本実施の形態にかかる携帯電話装置３００は、下車駅で下車してＩＣカード５０のカードデータが書き換えられたときに、その書き換えられたカードデータの下車した駅の駅名データ５１ａを用いて情報案内データを検索し、検索結果を表示するようにして、ユーザの利便性を高めている。
【０１１５】
以上の説明は、本発明の実施の形態についての説明であって、この発明の装置及び方法を限定するものではなく、様々な変形例を容易に実施することができる。又、各実施形態における構成要素、機能、特徴あるいは方法ステップを適宜組み合わせて構成される装置又は方法も本発明に含まれるものである。
【０１１６】
コンピュータ１は本実施の形態では、例えば携帯可能なノート型のパソコンを想定しているが、本発明はノート型のパソコンに限定されるものではない。
【０１１７】
また、コンピュータ１および携帯電話装置３００はいずれのＩＣカード５０のカードデータを読み取る読取手段を有していたが、ＩＣカード５０に埋め込まれているＩＣチップが埋め込まれ、その埋め込まれたＩＣチップにカードデータを記憶できるようになっていてもよい。この場合、ＩＣチップがカードデータ記憶手段としての機能を有することになる。
【０１１８】
携帯電話装置３００では、カードデータ受渡プログラム１３２が駅名データ５１ａに加えて日時データ５１ｂを情報案内プログラム３２１に出力してもよい。
【図面の簡単な説明】
【０１１９】
【図１】本発明の一実施形態に係るコンピュータの外観を示す斜視図である。
【図２】図１のコンピュータ内部の構成を示すブロック図である。
【図３】（ａ）は第１の実施の形態にかかるコンピュータの経路案内データの検索にかかる部分の構成を示すブロック図、（ｂ）はＩＣカードに記録されている乗下車データの一例を示すブロック図である。
【図４】第１の実施の形態にかかるコンピュータにより行われる経路案内データの検索処理の動作手順を示すフローチャートである。
【図５】第１の実施の形態にかかる経路案内プログラムを起動したときにＬＣＤに表示される経路案内画面の一例を示す図である。
【図６】ユーザが交通機関を利用するなどして移動する経路を模式的に示した図である。
【図７】経路案内データの検索結果の一例を示す図である。
【図８】経路案内データの検索結果の別の例を示す図である。
【図９】第２の実施の形態にかかるコンピュータの経路案内データの検索にかかる部分の構成を示すブロック図である。
【図１０】第２の実施の形態にかかるコンピュータにより行われる経路案内データの検索処理の動作手順を示すフローチャートである。
【図１１】（ａ）は第３の実施の形態にかかるコンピュータの経路案内データの検索にかかる部分の構成を示すブロック図、（ｂ）はＩＣカードに記録されている乗下車データの一例を示すブロック図である。
【図１２】第３の実施の形態にかかるコンピュータにより行われる経路案内データの検索処理の動作手順を示すフローチャートである。
【図１３】第３の実施の形態にかかるコンピュータにより行われる経路案内データの検索結果の一例を示す図である。
【図１４】第４の実施の形態にかかるコンピュータの経路案内データの検索にかかる部分の構成を示すブロック図である。
【図１５】サーバ装置の内部構成を示すブロック図である。
【図１６】（ａ）はＩＣカードに記録されている乗下車データの一例を示すブロック図、（ｂ）はサーバ装置内の店舗ＤＢの一例を示す図である。
【図１７】第４の実施の形態にかかるコンピュータにより行われる経路案内データの検索処理の動作手順を示すフローチャートである。
【図１８】第５の実施の形態にかかるコンピュータの経路案内データの検索にかかる部分の構成を示すブロック図である。
【図１９】第５の実施の形態にかかるコンピュータにより行われる経路案内データの検索処理の動作手順を示すフローチャートである。
【図２０】情報処理装置としての携帯電話装置の構成を示す正面図である。
【図２１】携帯電話装置の内部構成を示すブロック図である。
【図２２】携帯電話装置の情報案内データの検索にかかる部分の構成を示すブロック図である。
【図２３】携帯電話装置により行われる情報案内データの検索処理の動作手順を示すフローチャートである。
【図２４】情報案内データの検索結果を表示した携帯電話装置の一例を示す図である。
【図２５】情報案内データの検索結果を表示した携帯電話装置の別の一例を示す図である。
【図２６】情報案内データの検索結果を表示した携帯電話装置の図２４、図２５とは別の一例を示す図である。
【図２７】情報案内データの検索結果を表示した携帯電話装置の図２４〜図２６とは別の一例を示す図である。
【図２８】情報案内データの検索結果を表示した携帯電話装置の図２４〜図２７とは別の一例を示す図である。
【符号の説明】
【０１２０】
１…コンピュータ、７…ＬＣＤ、５０…ＩＣカード、５１…乗下車データ、５１ａ…駅名データ、５１ｂ…日時データ、１０１，３０３…ＣＰＵ、１０７…グラフィックスコントローラ、１１７…ハードディスクドライブ、１２３…ネットワークコントローラ、１２６…カードリーダ、１３１…経路案内プログラム、１３２…カードデータ受渡プログラム、１５０…経路案内画面、３００…携帯電話装置、３２１…情報案内プログラム
【図１】
2008310433.tif 000003
【図２】
2008310433.tif 000004
【図３】
2008310433.tif 000005
【図４】
2008310433.tif 000006
【図５】
2008310433.tif 000007
【図６】
2008310433.tif 000008
【図７】
2008310433.tif 000009
【図８】
2008310433.tif 000010
【図９】
2008310433.tif 000011
【図１０】
2008310433.tif 000012
【図１１】
2008310433.tif 000013
【図１２】
2008310433.tif 000014
【図１３】
2008310433.tif 000015
【図１４】
2008310433.tif 000016
【図１５】
2008310433.tif 000017
【図１６】
2008310433.tif 000018
【図１７】
2008310433.tif 000019
【図１８】
2008310433.tif 000020
【図１９】
2008310433.tif 000021
【図２０】
2008310433.tif 000022
【図２１】
2008310433.tif 000023
【図２２】
2008310433.tif 000024
【図２３】
2008310433.tif 000025
【図２４】
2008310433.tif 000026
【図２５】
2008310433.tif 000027
【図２６】
2008310433.tif 000028
【図２７】
2008310433.tif 000029
【図２８】
2008310433.tif 000030